(57)【要約】【課題】テーブルボードに対する操作ノブの掛止め向き乃至は掛外し向きを目視で認知するのみならず、手感触でも認知でき、テーブル設備として全体的に高級感を持たせる。【解決手段】操作ノブ１０のボス部１１と相対する受け座１７をシーバックの背部面に設け、操作ノブ１０の摘み部１２と相対する出入れ穴２３の縁枠２０をテーブルボードの板面に設け、操作ノブ１０の回転に伴う摺接により噛合，外出し可能な突起１５ａ，１５ｂ、１６ａ，１６ｂと凹溝１７ａ，１７ｂを操作ノブ１０のボス部１１と受け座１７の板面とで相対する操作ノブ１０の掛外れクリック専用とし、操作ノブ１０の摘み部１２と出入れ穴の縁枠２０とで相対する操作ノブ１０の掛止めクリック専用として位置をズラせて設ける。【選択図】図１１
2005119503.tif 000002
【特許請求の範囲】
【請求項１】
操作ノブをボス部に挿通する支軸で回転可能にシートバックの背部面に取り付け、操作ノブの出入れ穴を板面に設けたテーブルボードをシートバックの背部に備え、操作ノブを摘み部で出入れ穴と直交向きに回転させてテーブルボードを掛け止め、操作ノブを摘み部で出入れ穴と整合向きに回転させてテーブルボードをシートバックの背部から掛け外せるテーブルボード付き車輌用シートにおいて、操作ノブのボス部と相対する受け座をシーバックの背部面に設け、操作ノブの摘み部と相対する出入れ穴の縁枠をテーブルボードの板面に設け、操作ノブの回転に伴う摺接により噛合，外出し可能な突起，凹溝を操作ノブのボス部と受け座の板面とで相対する操作ノブの掛外れクリック専用とし、操作ノブの摘み部と出入れ穴の縁枠とで相対する操作ノブの掛止めクリック専用として位置をズラせて設けたことを特徴とするテーブルボード付き車輌用シート。
【発明の詳細な説明】
【技術分野】
【０００１】
本発明は、シートバックの背部より後方に倒し出せるテーブルボードを備える車輌用シートに関するものである。
【背景技術】
【０００２】
自動車用シートにおいては、下端側をシートバックの下部側にヒンジ連結したテーブルボードをシートバックの背部に備え、掛止め用の操作ノブを支軸で回転可能にテーブルボードの上端側近傍でシートバックの背部面に取り付け、操作ノブをテーブルボードの上端側に掛け渡すよう回転すると、テーブルボードをシートバックの背部に立て付けられ、操作ノブをテーブルボードの上端側に掛け外すよう回転すると、テーブルボードをシートバックの背部から後方に倒し出せるテーブルボード付きのものが知られている（特許文献１）。
【０００３】
そのテーブルボードの操作ノブは、使用者が目視しながら手で単に回転させてテーブルボードとの掛止め向き乃至は掛外し向きに位置合わせするものとして備え付けられているに過ぎない。
【特許文献１】実開平４−５４７３２号
【発明の開示】
【発明が解決しようとする課題】
【０００４】
解決しようとする課題は、テーブルボードに対する操作ノブの掛止め向き乃至は掛外し向きを目視で認知するのみで、手感触では認知できず、テーブル設備として全体的に高級感を持たせられない点である。
【課題を解決するための手段】
【０００５】
本発明は、操作ノブをボス部に挿通する支軸で回転可能にシートバックの背部面に取り付け、操作ノブの出入れ穴を板面に設けたテーブルボードをシートバックの背部に備え、操作ノブを摘み部で出入れ穴と直交向きに回転させてテーブルボードを掛け止め、操作ノブを摘み部で出入れ穴と整合向きに回転させてテーブルボードをシートバックの背部から掛け外せるテーブルボード付き車輌用シートで、操作ノブのボス部と相対する受け座をシーバックの背部面に設け、操作ノブの摘み部と相対する出入れ穴の縁枠をテーブルボードの板面に設け、操作ノブの回転に伴う摺接により噛合，外出し可能な突起，凹溝を操作ノブのボス部と受け座の板面とで相対する操作ノブの掛外れクリック専用とし、操作ノブの摘み部と出入れ穴の縁枠とで相対する操作ノブの掛止めクリック専用として位置をズラせて設けたことを主要な特徴とする。
【発明の効果】
【０００６】
本発明に係るテーブルボード付き車輌用シートでは、操作ノブの回転に伴うの摺接により、突起が凹溝に出入りすることによるクリック感を付与できるため、テーブルボードに対する操作ノブの掛止め向き乃至は掛外し向きを目視のみならず、手感触でも認知でき、テーブル設備として高級感を持たせられる。
【発明を実施するための最良の形態】
【０００７】
図１は自動車用シートに係り、テーブルボード１をシートバック２の背部に収めたセカンドシートを示す斜視図である。そのシートバック２には、回転操作可能な左右二つの操作ノブ１０が背部面に備え付けられている。各操作ノブ１０の取付け位置に対応し、後述するような操作ノブ１０の出入れ可能な長穴が縁枠２０によりテーブルボード１の上端寄り板面に設けられている。
【０００８】
図２は、テーブルボード１を操作ノブ１０より掛け外してから後方に倒し出したセカンドシートを示す斜視図である。このテーブルボード１は、シートクッション３の後部側から引き出すシート表皮４（図１参照）を下端寄り外側と縫着すると共に、シートバック２の背面カバー２ａと下端寄り内側との間に亘るニードルパンチ布等を袋状のフィルムヒンジ５として縫着することによりサードシート（図示せず）との間に掛渡し倒せるよう備え付けられている。
【０００９】
操作ノブ１０は、図３で示すように略円筒状のボス部１１を中央に立ち上げて略長方形の摘み部１２とを一体に形成したノブ本体を備えて構成されている。この操作ノブ１０には、後述するように鍔付ボルトでシートバック２の背部面に取り付けることから、段付状の軸受け穴１３が摘み部１２からボス部１１に亘る中央に貫通するよう設けられている。また、軸受け穴１３の封止用キヤップ１４が掛止め爪１４ａ，１４ｂで切欠溝１３ａ，１３ｂと係合させて嵌込み固定するよう備え付けられている。
【００１０】
その操作ノブ１０においては、図４で示すように長方形の突起１５ａ，１５ｂがボス部１１の軸受け穴１３を介して相対位置の内端面に２つ設けられている。また、半円形の突起１６ａ，１６ｂがボス部１１を介した摘み部１２の両端寄り裏面に２つ設けられている。これらの突起１５ａ，１５ｂ、１６ａ，１６ｂは、操作ノブ１０の掛外れクリック専用とし、操作ノブ１０の掛止めクリック専用として位置をズラせて設けられている。
【００１１】
ボス部１１の突起１５ａ，１５ｂに対しては、図５で示すような円板状の受け座１７が突起１５ａ，１５ｂと摺接するようシートバック２の背部面に取り付けられている。この受け座１７には、突起１５ａ，１５ｂと相応する２つの凹溝１７ａ，１７ｂが板面中央の抜き穴１７ｃを介して相対位置に設けられている。また、シートバック２の背部面に嵌着する２つの支ピン１７ｄ，１７ｅが受け座１７の固定用として抜き穴１７ｃを隔てた両側に立上げ形成されている。
【００１２】
操作ノブ１０は、テーブルボード１の板面に取り付ける縁枠２０で収容されている。その縁枠２０は、円板状のインナーカバー２１（図２参照）と、受け皿状のアウターカバー２２（図１参照）とから組み立てられている。この縁枠２０には、各カバーの板面に開孔した穴部を組み合わせることから、操作ノブ１０と相似形で出入れ可能な長穴２３が設けられている。また、図６で示すように上述した摘み部１２の突起１６ａ，１６ｂの入り込む凹溝２４ａ，２４ｂが長穴２３を隔てたアウターカバー２２の板面両側に設けられている。
【００１３】
図７〜図９は、操作ノブ１０並びに縁枠２０の取付構造を操作ノブ１０のロック状態で示す。操作ノブ１０は、摘み部１２が縁枠２０の縦向きに開口する長穴２３に対して横向きでアウターカバー２２の板面に掛け止められるよう取り付けられている。
【００１４】
操作ノブ１０は、鍔付ボルト６ａを軸受け穴１３より受け座１７の抜き穴１７ｃ並びにバックフレーム２ｂの板面に設けた止め穴２ｃに挿通させてナット６ｂで締付け固定することから回転可能にシートバック２の背部面に備え付けられている。軸受け穴１３は、封止キャップ１４を嵌め込んで閉鎖されている。この構成中、ボルト６ａの鍔部と軸受け穴１３の段部との間には捩りリングバネ７を挿置するようにできる。
【００１５】
受け座１７は、シートバック２の背面カバー２ａを挟み込むと共に、支ピン１７ｄ，１７ｅをバックフレーム２ｂの板面に圧入嵌着することにより、凹溝１７ａ，１７ｂを設けた板面を外部に露出させてシートバック２の背部面に取付け固定されている。
【００１６】
縁枠２０は、インナーカバー２１をテーブルボード１の内面側にあてがうと共に、アウターカバー２２をテーブルボード１の内面側にあてがい、両者２１，２２を一体に接合固定することによりテーブルボード１の板面を挟み込むよう取り付けられている。このインナーカバー２１とアウターカバー２２とから、操作ノブ１０の出入れ可能な長穴２３が設けられ、また、操作ノブ１０がアウターカバー２２の立上り内で回転操作可能に取り付けられている。
【００１７】
このように構成するテーブルボード付き車輌用シートでは、操作ノブ１０が縁枠２０に掛け止められていると、摘み部１２の突起１６ａ，１６ｂもアウターカバー２２の凹溝２４ａ，２４ｂに入り込んでいることから、操作ノブ１０が縁枠２０に安定よく掛け止められている。
【００１８】
その掛止め状態から操作ノブ１０を回転操作すると、摘み部１２の突起１６ａ，１６ｂがアウターカバー２２の凹溝２４ａ，２４ｂから外れ出すことから、手感触でも、操作ノブ１０の突起１６ａ，１６ｂが凹溝２４ａ，２４ｂより外れたことを認知できる。
【００１９】
その操作ノブ１０の回転途上では、摘み部１２の突起１６ａ，１６ｂがアウターカバー２２の板面と摺接し、ボス部１１の突起１５ａ，１５ｃも受け座１７の一般面と摺接しながら回転する。これにより、操作ノブ１０の回転操作に伴って、突起１５ａ，１５ｂ、１６ａ，１６ｂが受け座１７乃至は縁枠２０に摺接することから、操作ノブ１０のガタ付きが生ずるのを防げる。
【００２０】
この操作ノブ１０が縁枠２０より掛け外せる状態に達すると、図１１で示すようにボス部１１の突起１５ａ，１５ｃが受け座１７の凹溝１７ａ，１７ｂに再度入り込むことにより、手感触でも、操作ノブ１０の突起１５ａ，１５ｂが各凹溝１７ａ，１７ｂに入り込んだことを認知できると共に、操作ノブ１０が縁枠２０の長穴２３と整合位置したことを認知できる。
【００２１】
その操作ノブ１０では、回転操作に伴う突起１５ａ，１５ｂ、１６ａ，１６ｂと受け座１７，縁枠２０との摺接により、突起１５ａ，１５ｂ、１６ａ，１６ｂが凹溝１７ａ，１７ｂ、２４ａ，２４ｂに出入りすることによるクリック感を付与できる。このため、テーブルボード１に対する操作ノブ１０の掛止め向き乃至は掛外し向きを目視のみならず、手感触でも認知でき、テーブル設備として高級感を持たせられる。
【００２２】
それに加えて、受け座１７の板面と摺接するボス部１１の突起１５ａ，１５ｂと共に、摘み部１２の突起１６ａ，１６ｂを位置ズラせて設けることから、操作ノブ１０の回転操作に伴って、いずれかの突起が受け座１７乃至は縁枠２０に摺接することから、操作ノブ１０のガタ付きが生ずるのを防げる。また、操作ノブ１０の出入れ可能な長穴２３を設けるテーブルボード１の板面回りを縁枠２０で被包することから、テーブル設備として高級感を持たせられる。
【図面の簡単な説明】
【００２３】
【図１】本発明に係るテーブルボード付シートをテーブルボードの収納状態で背部側から示す斜視図である。
【図２】図１のテーブルボード付シートをテーブルボードの倒出し状態で背部側から示す斜視図である。
【図３】図１のテーブルボード付シートに備え付けられる操作ノブを示す側断面図である。
【図４】図３の操作ノブを示す裏面図である。
【図５】図１のテーブルボード付シートに備え付けられる操作ノブの受け座を示す平面図である。
【図６】図１のテーブルボード付シートに備え付けられる操作ノブの縁枠を示す正面図である。
【図７】図１の操作ノブを縁枠に対する掛止め状態で示す正面図である。
【図８】図７の操作ノブ並びに縁枠をＡ−Ａ線で示す側断面図である。
【図９】図７の操作ノブ並びに縁枠をＢ−Ｂ線で示す側断面図である。
【図１０】図７の操作ノブ並びに縁枠をＣ−Ｃ線で示す側断面図である。
【図１１】図１の操作ノブを縁枠より掛外し可能位置で示す正面図である。
【符号の説明】
【００２４】
１            テーブルボード
２            シートバック
１０          操作ノブ
１１          操作ノブのボス部
１２          操作ノブの摘み部
１３          操作ノブの軸受け穴
１５ａ，１５ｂ    ボス部の突起
１６ａ，１６ｂ    摘み部の突起
１７          操作ノブの受け座
１７ａ，１７ｂ    受け座の凹溝
６ａ，６ｂ    操作ノブの支軸
２０          縁枠
２３          操作ノブの出入り穴
【図１】
2005119503.tif 000003
【図２】
2005119503.tif 000004
【図３】
2005119503.tif 000005
【図４】
2005119503.tif 000006
【図５】
2005119503.tif 000007
【図６】
2005119503.tif 000008
【図７】
2005119503.tif 000009
【図８】
2005119503.tif 000010
【図９】
2005119503.tif 000011
【図１０】
2005119503.tif 000012
【図１１】
2005119503.tif 000013